(57)【要約】本発明は、選択範囲境界（２０８，２１０）によってディスプレイ（２００）上の画像の選択範囲（２０２，２０４，２０６）の境界を示す方法に係る。選択範囲境界は、少なくとも１つの選択範囲境界部分（２１２，２１４，２１６）を有する。当該方法は、第１の時間周期に対して複数のキーパッドボタン（３０８）のうち１つを作動させる段階、第１の時間周期を閾時間周期と比較する段階、及び、該比較に依存して、前記選択範囲（２０２，２０４，２０６）の寸法を変更するか、異なる動作機能を呼び出す段階、を有する。
2008515035.tif 000002
【特許請求の範囲】
【請求項１】
選択範囲境界によってディスプレイ上の画像の選択範囲の境界を示す方法であって、
前記選択範囲境界は、少なくとも１つの選択範囲境界部分を有し、
第１の時間周期に対して複数のキーパッドボタンのうち１つを作動させる段階と、
前記第１の時間周期を閾時間周期と比較する段階と、
前記比較に依存して、前記選択範囲の寸法を変更する、あるいは異なる動作機能を呼び出す段階と、
を有する、
方法。
【請求項２】
前記選択範囲の寸法を変更する段階は、前記作動されるキーパッドボタンに対してアサインされる選択範囲境界部分を、前記作動されるキーパッドボタンに対してアロケートされるベクトル方向において動かす、
請求項１記載の方法。
【請求項３】
選択範囲境界部分は、キーパッドボタンに対してアサインされ、
前記異なる動作機能を呼び出す段階は、異なる選択範囲境界部分を前記キーパッドボタンに対してアサインする、
請求項１記載の方法。
【請求項４】
ベクトル方向は、キーパッドボタンに対してアロケートされ、
前記異なる動作機能を呼び出す段階は、異なるベクトル方向を前記キーパッドボタンに対してアロケートする、
請求項１記載の方法。
【請求項５】
前記異なる動作機能を呼び出す段階は、前記選択範囲境界を、前記作動されるキーパッドボタンに対してアロケートされるベクトル方向において動かす、
請求項１記載の方法。
【請求項６】
前記異なる動作機能を呼び出す段階は、次のキーパッドボタン作動時に、選択範囲境界部分を動かすこと、又は前記選択範囲境界を動かすことを選択する、
請求項１記載の方法。
【請求項７】
前記閾時間周期は、実質的に１秒の半分である、
請求項１記載の方法。
【請求項８】
キーパッドボタンは、前記閾時間周期より長い時間周期に対して作動され、
より長く前記キーパッドが作動されると、より早く選択範囲境界部分が動く、
請求項２又は５記載の方法。
【請求項９】
他の選択範囲境界部分は、前記選択範囲境界を閉形状として保持するよう修正される、
請求項２記載の方法。
【請求項１０】
少なくとも１つの選択範囲境界部分は、固定される、
請求項２及び９記載の方法。
【請求項１１】
２つのキーパッドボタンは、共通の選択範囲境界部分に対してアサインされ、
前記２つのキーパッドボタンは、対向するベクトル方向に対してアロケートされる、
請求項１乃至５のうちいずれか一項記載の方法。
【請求項１２】
選択範囲境界部分の動作は、前記選択範囲境界部分の動作が前記ディスプレイの外側に選択範囲境界部分を動かす場合に、妨げられる、
請求項１、２及び５のうちいずれか一項記載の方法。
【請求項１３】
選択範囲境界部分の動作は、前記選択範囲境界部分の動作が前記ディスプレイの外側に選択範囲境界部分を動かす場合に、反転される、
請求項１、２及び５のうちいずれか一項記載の方法。
【請求項１４】
請求項１乃至１３のうちいずれか一項記載の方法をプロセッサに実行させる、
ソフトウェア。
【請求項１５】
選択範囲境界によってディスプレイ上の画像の選択範囲の境界を示すシステムであって、
前記選択範囲境界は、少なくとも１つの選択範囲境界部分を有し、
作動によって実施可能であるキーパッドボタンを有するキーパッドと；
キーパッドボタンが作動される時間を測定し、前記時間を閾時間周期に対して比較し、前記選択範囲の寸法を変更するか、あるいは前記比較に依存して異なる動作機能を呼び出すよう実施可能である、処理手段と；
前記画像及び前記選択範囲境界を表示するよう実施可能である表示手段と、
を有し、
システム。
【請求項１６】
前記処理手段は、前記作動されるキーパッドボタンに対してアロケートされるベクトル方向において、前記作動されるキーパッドボタンに対してアサインされる選択範囲境界部分を動かすことによって、前記選択範囲の寸法を変更する、
請求項１５記載のシステム。
【請求項１７】
選択範囲境界部分は、キーパッドボタンに対してアサインされ、
前記処理手段は、異なる動作機能を呼び出す際に、異なる選択範囲境界部分を前記キーパッドボタンに対してアサインする、
請求項１５記載のシステム。
【請求項１８】
ベクトル方向は、キーパッドボタンに対してアロケートされ、
前記処理手段は、異なる動作機能を呼び出す際に、異なるベクトル方向を前記キーパッドボタンに対してアロケートする、
請求項１５記載のシステム。
【請求項１９】
前記処理手段は、異なる動作機能を呼び出す際に、前記作動されるキーパッドボタンに対してアロケートされるベクトル方向において前記選択範囲境界を動かす、
請求項１５記載のシステム。
【請求項２０】
前記処理手段は、異なる動作機能を呼び出す際に、前記次のキーパッド作動に対して選択範囲境界部分を動かすこと、又は前記選択範囲境界を動かすことを選択する、
請求項１５記載のシステム。
【請求項２１】
前記キーパッドボタンが前記閾時間周期を越えてより長く作動されると、前記処理手段は、より早く選択範囲境界部分を動かす、
請求項１６又は１９記載のシステム。
【請求項２２】
前記処理手段は、前記選択範囲境界を閉形状として保持するよう、他の選択範囲境界部分を修正する、
請求項１６記載のシステム。
【請求項２３】
前記処理手段は、少なくとも１つの選択範囲境界部分を固定する、
請求項１６及び２２記載のシステム。
【請求項２４】
前記処理手段は、選択範囲境界部分の動作が前記表示される画像の範囲の外側に選択範囲境界部分を動かす場合に、前記選択範囲境界部分の動作を妨げる、
請求項１５，１６及び１９のうちいずれか一項記載のシステム。
【請求項２５】
前記処理手段は、選択範囲境界部分の動作が前記表示される画像の範囲の外側に選択範囲境界部分を動かす場合に、前記選択境界部分の動作を反転する、
請求項１５，１６及び１９のうちいずれか一項記載のシステム。
【請求項２６】
２つのキーパッドボタンは、共通の選択範囲境界部分に対してアサインされ、
前記２つのキーパッドボタンは、対向するベクトル方向に対してアロケートされる、
請求項１５乃至１９のうちいずれか一項記載のシステム。
【請求項２７】
前記キーパッドは、リモートコントロールの一部である、
請求項１５記載のシステム。
【請求項２８】
前記キーパッドボタンは、４つのカーソルボタンである、
請求項１５又は２７記載のシステム。
【請求項２９】
前記キーパッドは、前記選択範囲境界を確定するよう前記処理手段にコマンドするための作動によって実施可能であるキーパッド確定ボタンを有する、
請求項１５，２７及び２８のうちいずれか一項記載の記載のシステム。
【請求項３０】
前記処理手段は、確定時間周期に対して作動されるキーパッドボタンがない際に、前記選択範囲境界を確定する、
請求項１５記載のシステム。
【発明の詳細な説明】
【技術分野】
【０００１】
本発明は、キーパッドを使用して表示画像の一部を選択する新しい方法と、かかる方法を実施する装置に係る。本発明は、第一に家庭用電化製品における使用を意図されるが、かかる使用に制限されない。
【背景技術】
【０００２】
パーソナルコンピュータ上のスクリーンのアイコン及び範囲を選択するためにポインタ機器又は「マウス」を使用することは、一般的である。しかしながら、携帯電話、個人用携帯端末（ＰＤＡ）、及び他の家庭用電化機器等の機器がマウスを有することは、マウスが場所を大きく取ること、及びその平らな表面を必要とする扱いにくい操作により、望ましくはない。
【０００３】
トラックボール又はタッチパッド等のスクリーン上でポインタを制御する他の入力機器は、マウスの使用が不便であるラップトップ型コンピュータ等において一般的に使用される。しかしながら、より小型の機器（ＰＤＡ、携帯電話、又はリモートコントローラ）に対しては、トラックボール又はタッチパッドは、機器上で使用可能な空間の大部分を取りすぎる。
【０００４】
米国特許第６，６７８，００９号明細書（特許文献１）は、適切な選択ボックスを使用して表示に対してスクリーンの影響を受けない部分を選択することによって、所望されない映像アーチファクトをマスキングする方法、を記載する。しかしながら、選択ボックスの寸法及び位置を完全に制御するよう、オンスクリーンメニューシステムは、画像を暗くすることを求められる。また、該システムは、選択ボックスを完全に調整するよう複数の段階を求め、問題に対する解決策として大変優れてはいない。
【特許文献１】米国特許第６，６７８，００９号明細書
【発明の開示】
【発明が解決しようとする課題】
【０００５】
したがって本発明は、既知の技術を向上させる、ことを目的とする。
【課題を解決するための手段】
【０００６】
本発明の第１の態様によれば、選択範囲境界によってディスプレイ上の画像の選択範囲の境界を示す方法が与えられる。該選択範囲境界は、少なくとも１つの選択範囲境界部分を有する。当該方法は、第１の時間周期に対して複数のキーパッドのうち１つを作動させる段階と、第１の時間周期を閾周期と比較する段階と、該比較に依存して選択範囲を寸法変更する段階又は異なる動作機能を呼び出す段階とを有する。
【０００７】
本発明によれば、大変容易に且つ直観的に調整及び確定され得るディスプレイ上の選択範囲を与えることは可能である。少数のキーパッドボタンの操作は求められるが、キーパッドボタンの機能を制御するよう表示されるメニューシステムは求められない。
【０００８】
有利には、選択範囲境界部分の動作は、異なる時間周期のキーパッドボタン作動の使用によって制御され得る。例えば、選択範囲の寸法を変更することは、作動キーパッドボタンに対してアサインされる選択範囲境界部分を、作動キーパッドボタンに対してアロケートされるベクトル方向において動かし得る。この動作の間、少なくとも１つの選択範囲境界部分は適切に固定され、選択範囲は、作動キーパッドボタンに対してアサインされる選択範囲境界部分が動かされるため、寸法を変更される。固定される選択範囲境界部分は、望ましくは、作動キーパッドボタンにアサインされる選択範囲境界部分に対して対向する。他の選択範囲境界部分は、閉形状として選択範囲境界を保持するよう修正され得、例えば：
・  本来の選択範囲境界において存在するコーナー部の内角を保持するか、
・  本来の選択範囲境界の形状を保持するか、あるいは、
・  作動キーパッドボタンのアロケートされたベクトル方向の軸に沿ってのみ、選択範囲境界を修正する。
【０００９】
キーパッドボタンが異なる動作機能を呼び出すよう作動される際、典型的には、
・  異なる選択範囲境界部分が、キーパッドボタンに対してアサインされ得るか、
・  異なるベクトル方向が、キーパッドボタンに対してアロケートされ得るか、
・  選択範囲境界が、キーパッドボタンに対してアロケートされたベクトル方向において動かされ得るか、あるいは、
・  選択範囲境界部分又は選択範囲境界が、次のキーパッドボタン作動で動くよう選択され得るか、
という結果がもたらされる。
【００１０】
選択範囲境界は、選択範囲境界に対応する輪郭形状を使用して表示され得るか、あるいは、選択範囲とディスプレイの残りの部分との間の色又は輝度におけるコントラストを使用する等の先行技術における他の手段によって表示され得る。
【００１１】
本発明の第２の態様によれば、選択範囲境界によってディスプレイ上の画像の選択範囲境界を示すシステムが与えられる。該選択範囲境界は、少なくとも１つの選択範囲境界部分を有する。当該システムは、作動によって実施可能であるキーパッドボタンを有するキーパッドと；キーパッドボタンが作動される時間を測定し、時間を閾時間周期に対して比較し、選択範囲の寸法を変更するか、あるいは比較に依存して異なる動作機能を呼び出すよう実施可能である、処理手段と；画像及び選択範囲境界を表示するよう実施可能である表示手段と、を有する。
【００１２】
閾時間周期は、適切には１秒の十分の一乃至１０秒であり得、記載される望ましい実施例においては実質的に１秒の半分である。
【００１３】
キーパッドボタンが作動されていた時間周期は、閾時間周期が越えられていたか否かに依存して選択範囲境界を異なるように見せることによって、ユーザに対して知らされ得る。これは、例えば選択範囲境界の色を変更することによって、あるいは断続的に点滅させることによって、容易に達成され得る。他の可能性は、閾時間周期が到達される際にユーザに対して音を再生することである。
【００１４】
選択範囲境界部分が適切なキーパッドボタンが作動される際に動く方向をユーザに知らせるよう、キーパッドボタンに対してアロケートされるベクトル方向は、該キーパッドボタンに対してアサインされる選択範囲境界部分上で矢印として表示され得る。
【００１５】
有利には、選択範囲境界部分の動作が選択範囲境界の一部を画像の表示される部分の外側に動かす場合、当該方法は、更に、選択範囲境界部分の動作を妨げる又は反転する段階を与えるか、あるいは、表示される部分が更にある場合は画像のスクリーンローリングをトリガし得る。
【００１６】
キーパッドは、リモートコントロールの一部であり得るか、あるいは表示手段又は処理手段を有する装置の一部であり得る。キーパッドは、複数のキーパッドボタンを有し、また、選択範囲を確定するよう作動され得るキーパッド確定ボタンを有し得る。キーパッド確定ボタンが無い場合、例えば３秒乃至３０秒、又は望ましい一実施例では実質的に１０秒である確定時間周期に対してキーパッドボタンをいずれも作動しないことによって、選択範囲は自動的に確定され得る。
【００１７】
望ましい一実施例では、キーパッドは、リモートコントロールの一部である。該キーパッドは、上、右、下、及び左のベクトル方向をアロケートされる４つのカーソルボタン、及び、家電製品のリモートコントロール上のカーソルボタンの間に一般的に位置付けられるＯＫボタン等であるキーパッド確定ボタンを有する。
【００１８】
キーパッドボタンは、触れられる又は押されることによって、あるいは、先行技術において既知である他の手段によって作動され得る。
【００１９】
表示手段は、ＣＲＴ、プラズマスクリーン、液晶スクリーン又はプロジェクタ等の先行技術において既知である表示手段であり得る。
【００２０】
処理手段は、典型的には１つ又はそれ以上のマイクロプロセッサを有し、測定される時間周期を閾時間周期と比較するコンパレータを有し得る。該手段は、キーのアサイメント及びアロケーションに対する記憶装置を有し得る。オプションであるセットトップボックス内、表示手段内、キーパッド内に有され得るか、あるいはこれらのうち２つ又は３つの間に置かれ得る。処理手段は、選択範囲の確定時にとられるべき方法及びアクションを実行するよう求められるプログラムを格納する、関連付けられた記憶手段を有し得る。
【００２１】
本発明の利点は、非常に限られた数のキーパッドボタンのみを使用して表示される画像の範囲を単純且つ直観的に選択し得ることである。更には、本発明は、マウス又はトラックボールが有する不便性なく、ある距離から見られる表示画像の範囲を選択する方法が必要とされる、テレビジョン受像機等の家庭用電化製品へと一体化されるよう大変適している。キーパッドを有する家電製品のリモートコントロールは、ユーザによってよく受け入れられ理解されている。本発明は、本発明を実施するよう単純にセットボックス又は他の機器ソフトウェアをアップグレードすることによって、多くの家電システムへと一体化され得る。
【発明を実施するための最良の形態】
【００２２】
本発明の実施例は、これより添付の図面を参照して例証として説明される。
【００２３】
図１中に示されるシステムは、キーパッド１００、処理手段１０２、記憶手段１０８、及び表示手段１０４を有する。ブロック１００、１０２、及び１０４は、物理的に別個のユニットであり得、ワイヤを使用して接続されるか、ワイヤレス接続をされ得る。あるいは、かかるブロックのうち２つ又はそれ以上は、一個構成の機器の一部であり得る。処理手段は、測定時間周期を閾時間周期と比較するコンパレータ１１０、及び、キーのアサイン及びアロケーションをホールドする記憶装置（ｓｔｏｒａｇｅ）１１２を有する。記憶手段（ｓｔｏｒａｇｅ  ｍｅａｎｓ）１０８は、選択範囲が確定される際に実行されるべき方法及びアクションを実施するよう求められるプログラムをホールドし得る。典型的な実施例では、キーパッド１００は、リモートコントロールの一部であり、処理手段１０２及び記憶手段１０８は、セットトップボックスの一部であり、表示手段１０４はテレビジョン受像機である。リモートコントロールは、ＲＣ５／６、パルス位置、ＵＷＢ、Ｗｉ−Ｆｉ、ＩＲＤＡ又はＢｌｕｅｔｏｏｔｈ等の既知のワイヤレス（赤外線、ＲＦ、超音波）プロトコルを使用して、セットトップボックスと通信する。セットトップボックスは、例えばＳＣＡＲＴ、ＩＥＥＥ１３９４、Ｓ−Ｖｉｄｅｏ、ＵＳＢ又は同軸ケーブルを使用するテレビジョン受像機に対する有線接続を有する。
【００２４】
図２は、３つのディスプレイ２００を示す。各ディスプレイは、典型的な形状の選択範囲を有する。例は、楕円形の選択範囲２０２、矩形の選択範囲２０４、及び三角形の選択範囲２０６を示すが、本発明は、五角形又は六角形等の他の二次元形状に対しても容易に適用され得る。選択範囲を表示する２つの典型的な方法が示される。その一方の方法は、選択範囲境界に対応する輪郭形状２０８を使用し、他方の方法は、選択範囲とディスプレイの残りの範囲との間において色又は輝度２１０におけるコントラストを使用する。１つの選択範囲境界部分は、各選択範囲上に示される。選択範囲境界部分２１２は、楕円形の選択範囲境界の湾曲側部上の一点である。選択範囲部分２１４は、矩形の選択範囲境界のコーナー部である。選択範囲境界部分２１６は、三角形の選択範囲境界の一側である。
【００２５】
図３は、キーパッド３００の２つの典型的なキーパッド配置を示す。第１の配置３０２は、テレビジョン受像機のリモートコントロール上で一般的である、選択範囲の修正及び確定するよう使用され得る５つのボタンを示す。第２の配置３０４は、携帯電話のダイアルキーパッド上で一般的である、選択範囲を修正及び確定するよう使用され得る９つのボタンを示す。ボタンの望ましい使用は、選択範囲を確定するよう中央ボタン３０６を、選択範囲境界を修正するよう他のボタン３０８を使用することである。
【００２６】
選択範囲境界部分は、選択範囲境界の寸法及び形状にわたって単純な制御を与え得るよう、選択範囲境界の部分上でキーパッドボタンに対してアサインするよう選ばれるべきである。図４乃至図７に関連して詳細に説明される通り、選択範囲境界部分は、選択範囲境界の１つの点又は多数の近接する点であるよう選ばれ得、また、選択範囲の直線上の側部、湾曲側部、又はコーナー部上で選ばれ得る。各選ばれた選択範囲境界部分は、１つ又はそれ以上のキーパッドに対してアサインされ、また、アサインされた選択範囲境界部分として考えられ得る。
【００２７】
第１の実施例は、これより図４を参照して詳細に説明される。選択範囲の寸法を変更することで選択範囲境界部分は動かされ、異なる動作機能を呼び出すことで選択範囲境界は全体として動かされる。
【００２８】
キーパッド４００は、選択範囲を修正する４つのキーパッドボタン４０１，４０２，４０３及び４０４、並びに選択範囲を確定する１つのキーパッド確定ボタン４０５を有する。
【００２９】
選択範囲は矩形であり、２つのアサインされた選択範囲境界部分が、側部４１２，４１３として選ばれる。境界部分４１２は、キーパッドボタン４０２及び４０４に対してアサインされ、境界部分４１３は、キーパッドボタン４０１及び４０３に対してアサインされる。側部４１１及び４１４は、アサインされない選択範囲境界部分である。
【００３０】
キーパッドボタン４０１は上ベクトル方向に対してアロケートされ、キーパッドボタン４０２は右ベクトル方向をアロケートされ、キーパッドボタン４０３は下ベクトル方向に対してアロケートされ、キーパッドボタン４０４は左ベクトル方向に対してアロケートされる。
【００３１】
ユーザは、選択範囲の寸法を変更するようキーパッドボタン４０１，４０２，４０３及び４０４を作動させ得、キーパッドボタンに対してアロケートされるベクトル方向においてキーパッドボタンにアサインされる選択範囲境界部分を動かす。例えば、キーパッドボタン４０４は、選択範囲境界部分４１２に対してアサインされ、左ベクトル方向に対してアロケートされる。そのため、選択範囲の寸法を変更するようキーパッドボタン４０４を作動させることで、選択範囲境界部分４１２は左に動かされ、図４中に示す通り４２０から４２１まで選択範囲の寸法を変更する。この動作において、選択範囲側部４１４は固定され、選択範囲側部４１１及び４１３は、本来の選択範囲４２０においてコーナー部の内角を保持するよう修正される。
【００３２】
ユーザはまた、異なる動作機能を呼び出すようキーパッドボタン４０１，４０２，４０３及び４０４を作動させ得、キーパッドボタンに対してアロケートされるベクトル方向において選択範囲境界を動かす。例えば、キーパッドボタン４０１は、上ベクトル方向に対してアロケートされる。そのため、異なる動作機能を呼び出すようキーパッドボタン４０１を作動させることで、選択範囲４２１は上に動かされ、選択範囲境界を４２１から４２２まで動かす。
【００３３】
ユーザは、選択範囲の寸法及び位置に満足するまで、選択範囲の寸法を変更するよう、あるいは異なる動作機能を呼び出すよう反復的にキーパッドボタン４０１，４０２，４０３，４０４を作動し得る。続いてユーザは、選択範囲を確定するようキーパッド確定ボタン４０５を作動する。キーパッドボタン４０１，４０２，４０３及び４０４がディスプレイ上の選択範囲の寸法及び位置にわたって完全な制御を与える、ことは十分理解される。
【００３４】
この実施例は、矩形の選択範囲を説明するが、例えば楕円形及び三角形である異なる形状の選択範囲に対しても容易に適用され得る。制御されるべき各選択範囲境界部分に対して、共通する選択範囲境界部分は２つのキーパッドボタンに対してアサインされ、対向するベクトル方向が該２つのキーパッドボタンに対してアロケートされる。
【００３５】
この実施例では、選択範囲の寸法変更は、キーパッドボタンが閾時間周期より短い時間周期に対して作動される際に発生するよう方向付けられる。また、異なる動作機能の呼出しは、キーパッドボタンが閾時間周期より長い時間周期に対して作動される際に発生するよう方向付けられる。しかしながら、この方向付けの反転が、他の大変類似する作業実施例を与える、ことは十分に理解される。
【００３６】
第２の実施例はこれより、図４を参照して詳細に説明される。異なる動作機能の呼出しは、次のキーパッドの作動時に選択範囲境界を動かすこと、又は選択範囲境界部分を動かすことを選ぶ。この実施例では、異なる動作機能の呼出しによって選択される際、選択範囲の寸法変更は、選択範囲境界部分を動かすこと又は選択範囲境界を動かすことを有する。
【００３７】
キーパッド４００は、４つのキーパッドボタン４０１，４０２，４０３及び４０４、並びに選択範囲を確定する１つのキーパッド確定ボタン４０５を有する。
【００３８】
選択範囲は矩形であり、２つのアサインされた選択範囲境界部分が、側部４１２，４１３として選ばれる。境界部分４１２は、キーパッドボタン４０２及び４０４に対してアサインされ、境界部分４１３は、キーパッドボタン４０１及び４０３に対してアサインされる。側部４１１及び４１４は、アサインされない選択範囲境界部分である。
【００３９】
キーパッドボタン４０１は上ベクトル方向に対してアロケートされ、キーパッドボタン４０２は右ベクトル方向をアロケートされ、キーパッドボタン４０３は下ベクトル方向に対してアロケートされ、キーパッドボタン４０４は左ベクトル方向に対してアロケートされる。
【００４０】
ユーザは、選択範囲の寸法を変更するようキーパッドボタン４０１，４０２，４０３及び４０４を作動させ得、次のキーパッド作動時に、選択範囲境界部分又は選択範囲境界が動かされるか否かを選択する。異なる動作機能を呼び出す前は、キーパッドボタンは、選択範囲境界部分を動かすよう選択され、異なる動作機能が呼び出された後では、キーパッドボタンは、選択範囲境界を動かすよう選択される。異なる動作機能を再度呼び出すことで、キーパッドボタンが再選択され選択範囲境界部分を動かす。
【００４１】
ユーザは、選択範囲の寸法を変更するよう、キーパッドボタン４０１，４０２，４０３又は４０４を作動させ得る。
【００４２】
選択範囲境界部分を動かすことが選択される際、選択範囲の寸法変更は、第１の実施例においてと同様に行われる。例えば、キーパッドボタン４０４は、選択範囲境界部分４１２に対してアサインされ、左ベクトル方向に対してアロケートされる。そのため、選択範囲の寸法を変更するようキーパッドボタン４０４を作動させることで、選択範囲境界部分４１２は左に動かされ、図４中に示す通り４２０から４２１まで選択範囲の寸法を変更する。この動作において、選択範囲側部４１４は固定され、選択範囲側部４１１及び４１３は、本来の選択範囲４２０においてコーナー部の内角を保持するよう修正される。
【００４３】
選択範囲境界を動かすことが選択される際、選択範囲の寸法変更は、第１の実施例において異なる動作機能の呼出しが行うのと同様に行われる。例えば、キーパッドボタン４０１は、上ベクトル方向に対してアロケートされる。そのため、選択範囲の寸法を変更するようキーパッドボタン４０１を作動させることで、選択範囲４２１は上に動かされ、選択範囲境界を４２１から４２２まで動かす。
【００４４】
ユーザは、選択範囲の寸法及び位置に満足するまで、選択範囲の寸法を変更するよう、あるいは異なる動作機能を呼び出すよう反復的にキーパッドボタン４０１，４０２，４０３，４０４を作動し得る。続いてユーザは、選択範囲を確定するようキーパッド確定ボタン４０５を作動する。キーパッドボタン４０１，４０２，４０３及び４０４がディスプレイ上の選択範囲の寸法及び位置にわたって完全な制御を与える、ことは十分理解される。
【００４５】
この実施例は、矩形の選択範囲を説明するが、例えば楕円形及び三角形である異なる形状の選択範囲に対しても容易に適用され得る。制御されるべき各選択範囲境界部分に対して、共通する選択範囲境界部分は２つのキーパッドボタンに対してアサインされ、対向するベクトル方向が該２つのキーパッドボタンに対してアロケートされる。
【００４６】
この実施例では、選択範囲の寸法変更は、キーパッドボタンが閾時間周期より長い時間周期に対して作動される際に発生するよう方向付けられる。また、異なる動作機能の呼出しは、キーパッドボタンが閾時間周期より短い時間周期に対して作動される際に発生するよう方向付けられる。選択範囲境界が更に寸法を変更されると、より長い間キーパッドボタンが作動されるため、この方向付けは望ましい。この方向付けの反転が他の作業実施例を与えることは十分理解されるが、キーパッドボタンがより長く作動されても、選択範囲境界は更には寸法を変更され得なかった。閾時間周期は、到達され、キーパッドボタン作動は、寸法変更の代わりに異なる動作機能を呼び出す。その場合、選択範囲は、キーパッドボタンが選択範囲の寸法を変更するよう作動される度に、定量分を寸法変更される。該定量の寸法は、速度と正確性との間のトレードオフである。該定量が小さいと、正確な位置付けが可能となるが、選択範囲境界部分又は選択範囲境界を有効な距離に動かすよう多数のキーパッドボタン作動が求められる。
【００４７】
この実施例の利点は、選択範囲境界部分及び選択範囲境界のいずれも、閾時間周期より長い時間周期に対してキーパッドボタンを作動させる結果として動かされ得る、ことである。これは、キーパッドボタンがより長く作動されると、選択範囲境界部分及び選択範囲境界は更に動かされ得る、ことを意味し、選択範囲の早く正確な位置付けが求められる用途に対して、該実施例が大変適切であるようにする。
【００４８】
キーパッドボタンが作動される際、キーパッドボタンがより長く作動されると、選択範囲境界部分又はセンサ要素は、より早く動き得る。閾時間周期が最初に越えられる際に選択範囲境界部分又は選択範囲境界をゆっくりと動かすことは、正確な位置付けを可能にする。また、キーパッドボタンが作動され続ける際に選択範囲境界部分又は選択範囲境界をより早く動かすことは、選択範囲境界部分又は選択範囲境界を素早く長い距離を動かし得る。
【００４９】
第１及び第２の実施例は、選択範囲境界をその位置を移動させることによって動かす例を与えてきたが、更なる実施例は、選択範囲境界の中心位置を変えることなく、全ての選択範囲境界部分を選択範囲の中心位置に向かって又はそこから離れて動かすことによって選択範囲境界を動かすことが達成される場合に、想定され得る。
【００５０】
第３の実施例はこれより、図５を参照して詳細に説明される。選択範囲の寸法変更で選択範囲境界部分は動かされ、異なる動作機能の呼出しで作動されるキーパッドボタンは異なるベクトル方向をアロケートされる。
【００５１】
キーパッドは、４つのキーパッドボタン５０１，５０２，５０３及び５０４、並びに選択範囲を確定する１つのキーパッド確定ボタン５０５を有する。
【００５２】
選択範囲は、楕円形であり、４つのアサインされた選択範囲境界部分が、選択範囲境界の最上部、最右部、最下部、及び最左部の点において選ばれ、夫々参照符号は５１１，５１２，５１３及び５１４である。境界部分５１１，５１２，５１３及び５１４は、夫々キーパッドボタン５０１，５０２，５０３及び５０４に対してアサインされる。
【００５３】
キーパッドボタン５０１は上ベクトル方向に対してアロケートされ、キーパッドボタン５０２は右ベクトル方向をアロケートされ、キーパッドボタン５０３は下ベクトル方向に対してアロケートされ、キーパッドボタン５０４は左ベクトル方向に対してアロケートされる。
【００５４】
ユーザは、選択範囲の寸法を変更するようキーパッドボタン５０１，５０２，５０３及び５０４を作動させ得、キーパッドボタンに対してアロケートされるベクトル方向においてキーパッドボタンに対してアサインされる選択範囲境界部分を動かす。例えば、キーパッドボタン５０２は、選択範囲境界部分５１２に対してアサインされ、右ベクトル方向に対してアロケートされる。そのため、選択範囲の寸法を変更するようキーパッドボタン５０２を作動させることで、選択範囲境界部分５１２は右に動かされる。この動作において、選択範囲側部５１４は固定され、選択範囲側部の残りの部分は、選択範囲の形状を維持するよう動かされ、図５中に示される通り、選択範囲を５２０から５２１まで修正する。
【００５５】
この実施例では、選択範囲の楕円の形状は、選択範囲境界がそれを維持するよう動かされるため変わらない。他の典型的な選択肢は、選択範囲境界を作動されたキーパッドボタンに対してアロケートされるベクトル方向においてのみの運動に制限し、ベクトル方向の軸に沿って楕円を伸ばす又は圧縮する。例えば、選択範囲の寸法を変更するためのキーパッドボタン５０２の作動時に、選択範囲５０２は、選択範囲５２１を選択する代わりに選択範囲５２２を選択するよう修正される。
【００５６】
ユーザは、異なる動作機能を呼び出すようキーパッドボタン５０１，５０２，５０３，５０４を作動し得、キーパッドボタンに対して割り当てられるベクトル方向を反転させる。これによってユーザは、前にアロケートされたベクトル方向に対向する第２のベクトル方向において境界部分を動かすことができる。選択範囲５２１から前の例を続け、ユーザは、選択範囲５２１から選択範囲５２０に戻りたいと考え得る。こうするためにはユーザは、まず異なる動作機能を呼び出すようキーパッドボタン５０２を作動させ、前にアロケートされた左ベクトル方向に対向する右ベクトル方向にキーパッドボタン５０２をアロケートする。続いてユーザは、選択範囲の寸法を変更するようキーパッドボタン５０２を作動させ、選択範囲境界部分５１２を右に動かし、選択範囲５２０まで戻す。
【００５７】
ユーザは、選択範囲の寸法及び位置に満足するまで、選択範囲の寸法を変更するよう、あるいは異なる動作機能を呼び出すよう反復的にキーパッドボタン５０１，５０２，５０３，５０４を作動し得る。続いてユーザは、選択範囲を確定するようキーパッド確定ボタン５０５を作動し得る。キーパッドボタン５０１，５０２，５０３及び５０４がディスプレイ上の選択範囲の寸法及び位置にわたって完全な制御を与える、ことは十分理解される。
【００５８】
この実施例は、楕円形の選択範囲を説明するが、選択範囲境界部分を選び且つ夫々のキーパッドボタンに対して各々をアサインすることによって、例えば矩形及び三角形である異なる形状の選択範囲に対しても容易に適用され得る。
【００５９】
この実施例では、選択範囲の寸法変更は、キーパッドボタンが閾時間周期より長い時間周期に対して作動される際に発生するよう方向付けられる。また、異なる動作機能の呼出しは、キーパッドボタンが閾時間周期より短い時間周期に対して作動される際に発生するよう方向付けられる。キーパッドボタンがより長い間作動されるほど選択範囲境界は更に寸法を変更されるため、この方向付けは望ましい。この方向付けの反転が他の作業実施例を与えることは十分理解されるが、より長くキーパッドボタンが作動されても選択範囲境界が更には寸法を変更され得なかった。閾時間周期は、到達され、キーパッドボタン作動は、寸法変更の代わりに異なる動作機能を呼び出す。その場合、選択範囲は、キーパッドボタンが選択範囲の寸法を変更するよう作動される度に、定量分を寸法変更される、ことが望ましい。
【００６０】
この実施例の利点は、全てのキーパッドボタンが異なる選択範囲境界部分を制御する、ことである。これは、多数の選択範囲境界部分が、異なる動作機能の呼出しを求めることなく直接制御され得る、ことを意味する。
【００６１】
第４の実施例はこれより、図６を参照して詳細に説明される。選択範囲の寸法を変更することで選択範囲境界部分は動かされ、異なる動作機能を呼び出すことで選択範囲境界はキーパッドボタンの全てに対してアサインされる。
【００６２】
キーパッド６００は、選択範囲を修正する４つのキーパッドボタン６０１，６０２，６０３及び６０４、並びに選択範囲を確定する１つのキーパッド確定ボタン６０５を有する。
【００６３】
選択範囲は矩形であり、矩形のコーナー部において１つの選択範囲境界部分６１１がアサインされる。境界部分６１１は、全ての４つのキーパッドボタン６０１，６０２，６０３及び６０４に対してアサインされる。
【００６４】
キーパッドボタン６０１は上ベクトル方向に対してアロケートされ、キーパッドボタン６０２は右ベクトル方向をアロケートされ、キーパッドボタン６０３は下ベクトル方向に対してアロケートされ、キーパッドボタン６０４は左ベクトル方向に対してアロケートされる。
【００６５】
ユーザは、選択範囲の寸法を変更するようキーパッドボタン６０１，６０２，６０３及び６０４を作動させ得、キーパッドボタンに対してアロケートされるベクトル方向においてキーパッドボタンにアサインされる選択範囲境界部分を動かす。例えば、キーパッドボタン６０１は、選択範囲境界部分６１１に対してアサインされ、上ベクトル方向に対してアロケートされる。そのため、選択範囲の寸法を変更するようキーパッドボタン６０１を作動させることで、選択範囲境界部分６１１は上に動かされ、図６中に示す通り６２０から６２１まで選択範囲の寸法を変更する。この動作において、アサインされない選択範囲境界部分６１２は固定され、選択範囲境界の残りの部分は、本来の選択範囲６２０においてコーナー部の内角を保持するよう修正される。
【００６６】
ユーザはまた、異なる動作機能を呼び出すようキーパッドボタン６０１，６０２，６０３及び６０４を作動させ得、４つのキーパッドボタン全てを異なる選択範囲境界部分に対してアサインする。これによってユーザは、異なる選択範囲境界部分を通り、各々を動かすことができる。選択範囲６２１から前の例を続け、キーパッドボタンン６０１，６０２，６０３又は６０４は、異なる動作機能を呼び出すよう作動され、全ての４つのキーパッドボタンン６０１，６０２，６０３及び６０４を６１１の代わりに選択範囲境界部分６１２に対してアサインする。続いて、キーパッド６０２は選択範囲の寸法を変更するよう作動され、選択範囲境界部分６１２は右に動かされ、選択範囲は図６中に示される通り６２１から６２２まで寸法を変更される。この動作において、現時点でアサインされていない選択範囲境界部分６１１は固定され、選択範囲境界の残りの部分は、本来の位選択範囲境界６２０のコーナー部の内角を保持するよう修正される。
【００６７】
ユーザは、選択範囲の寸法及び位置に満足するまで、選択範囲の寸法を変更するよう、あるいは異なる動作機能を呼び出すよう反復的にキーパッドボタン６０１，６０２，６０３，６０４を作動し得る。続いてユーザは、選択範囲を確定するようキーパッド確定ボタン６０５を作動し得る。キーパッドボタン６０１，６０２，６０３及び６０４がディスプレイ上の選択範囲の寸法及び位置にわたって完全な制御を与える、ことは十分理解される。
【００６８】
この実施例は、矩形の選択範囲を説明するが、選択範囲境界部分を選ぶこと及び同様にしてそれらにキーパッドボタンをアサインすることによって、例えば楕円形及び三角形である異なる形状の選択範囲に対しても容易に適用され得る。
【００６９】
この実施例では、選択範囲の寸法変更は、キーパッドボタンが閾時間周期より長い時間周期に対して作動される際に発生するよう方向付けられる。また、異なる動作機能の呼出しは、キーパッドボタンが閾時間周期より短い時間周期に対して作動される際に発生するよう方向付けられる。より長くキーパッドボタンが作動されると選択範囲境界が更に寸法を変更されため、この方向付けは望ましい。この方向付けの反転が他の作業実施例を与えることは十分理解されるが、キーパッドボタンがより長く作動されても、選択範囲境界は更には寸法を変更され得なかった。閾時間周期は、到達され、キーパッドボタン作動は、寸法変更の代わりに異なる動作機能を呼び出す。その場合、選択範囲は、キーパッドボタンが選択範囲の寸法を変更するよう作動される度に、寸法変更されることが望ましい。
【００７０】
前述された実施例に対して本実施例の有利点は、全ての矩形の選択範囲の寸法又配置が、２つの選択範囲境界部分の間で切り替えるよう、一度のみ異なる動作機能を呼び出すことによって得られ得る、ことである。このことによって、本実施例は、多種の選択範囲の寸法及び位置が求められる際に大変素早く使用され得る。
【００７１】
処理手段は、選択範囲境界がディスプレイの範囲外に動くことを避けるよう、選択範囲境界の動作を無視又は反転することを選び得る。このことは、これより図７を参照して詳細に説明される。典型的な矩形の選択範囲７２０は、ディスプレイ７１０の端部において表示される。選択範囲境界部分７１４は、矩形の最左端部を形成し、ディスプレイの端部において位置付けられる。キーパッドボタン７０４は、選択範囲境界部分７１４に対してアサインされ、左ベクトル方向に対してアロケートされる。キーパッドボタン７０４が閾時間周期より短い時間周期に対して作動される場合、選択範囲境界部分７１４は、通常は左に動き、ディスプレイから消える。これを避けるよう、キーパッドボタン７０４の作動に対する応答は変えられ得、例えば：
・  キーパッドボタン７０４の作動が選択範囲境界部分の動作を引き起こさないか、あるいは、
・  キーパッドボタン７０４の作動が、キーパッドボタンに対してアロケートされるベクトル方向を反転させ、選択範囲境界部分を右に動かしてディスプレイへと戻す。
【００７２】
上述された実施例に対する多数の変形が可能であること、並びに、異なる数のキーパッドボタン、異なる形状の選択範囲、異なるベクトル方向アロケーション、及び異なる選択範囲境界部分アサインに対してかかる変形が単純に修正され得ることは、十分に理解される。また、選択範囲の修正方法に対して更なる可撓性を与えるよう使用され得る第２の閾時間周期を加えることも、１つの選択肢である。例えば、キーパッドボタンが閾時間周期より短い時間周期に対して作動された場合、選択範囲境界は、キーパッドボタンと関連付けられるベクトル方向において動かされ得る。キーパッドボタンが第１の閾時間周期より長いが第２の閾時間周期より短い時間周期に対して作動された場合は、キーパッドボタンにアロケートされるベクトル方向は、反転され得る。キーパッドボタンが両方の閾時間周期より長い時間周期に対して作動された場合は、キーパッドは、異なる選択範囲境界部分に対してアサインされ得る。
【００７３】
選択範囲の典型的な使用には：
・  ズーミング又は画像処理操作に対して捧持される画像の部分を選択すること、
・  ファイルに対して書き込むよう表示される画像の部分を選択すること、
・  マークを有する表示される画像の部分を、該マークに対してリンクされるファイルを実行するよう、選択すること、並びに、
・  マークを有する表示される画像の部分を、視聴覚プログラムにおける宣伝広告の時間をスキップするよう、選択すること、
が有される。
【図面の簡単な説明】
【００７４】
【図１】キーパッド、表示手段、記憶手段、及び処理手段を示すブロックを図示する。
【図２】各々が異なる形状の選択範囲境界を標示する、３つの典型的なディスプレイを図示する。
【図３】２つの典型的なキーパッドボタン配置を図示する。
【図４】本発明に従った方法の第１及び第２の実施例を図示する。
【図５】本発明に従った方法の第３の実施例を図示する。
【図６】本発明に従った方法の第４の実施例を図示する。
【図７】ディスプレイの端部に近い選択範囲境界を図示する。
【図１】
2008515035.tif 000003
【図２】
2008515035.tif 000004
【図３】
2008515035.tif 000005
【図４】
2008515035.tif 000006
【図５】
2008515035.tif 000007
【図６】
2008515035.tif 000008
【図７】
2008515035.tif 000009
【国際調査報告】
2008515035.tif 000010
2008515035.tif 000011
2008515035.tif 000012